(57)【要約】【課題】カメラのダイナミックレンジを高精度に測定する。【解決手段】ダイナミックレンジ測定装置１のトータルノイズ測定部２０−１は、シーンの相対輝度Ｌiのときの映像信号に基づいて、トータルノイズＮT（Ｌi）を測定する。極値判定部２２−１は、輝度制御信号を光源装置１０へ出力し、増加する相対輝度Ｌi毎に、トータルノイズＮT（Ｌi）を測定し、トータルノイズの計算値（ａ＾・ｆ’（Ｌi）・√（Ｌi））を求め、極値のポイントの相対輝度ＬiまたはトータルノイズＮT（Ｌi）の１次導関数が減少し始めるポイントの相対輝度Ｌiを求める。ダイナミックレンジ計算部２３は、相対輝度Ｌi、及びカメラ１３により撮影された白パターンの映像信号が公称ピークレベルＶ100%となるときの相対輝度Ｌ0を用いて、ダイナミックレンジＤを求める。【選択図】図１
2020048003.tif 000002
【特許請求の範囲】
【請求項１】
カメラのダイナミックレンジを測定するダイナミックレンジ測定装置において、
前記カメラにより撮影された白パターンの映像信号を入力し、当該映像信号に基づいて、トータルノイズまたはランダムノイズの測定値を、前記白パターンの輝度の関数として求めるノイズ測定部と、
前記ノイズ測定部により測定された前記トータルノイズまたは前記ランダムノイズの前記測定値が、前記白パターンの前記輝度の増加に伴って減少するポイントを判定し、当該ポイントにおける前記輝度を求める判定部と、
前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、
を備えたことを特徴とするダイナミックレンジ測定装置。
【請求項２】
請求項１に記載のダイナミックレンジ測定装置において、
前記判定部は、
前記測定値の１次導関数が極値となるポイントまたは前記１次導関数が減少し始めるポイントを判定し、当該ポイントにおける前記輝度を求める、ことを特徴とするダイナミックレンジ測定装置。
【請求項３】
請求項１に記載のダイナミックレンジ測定装置において、
さらに、前記カメラによる所定の非線形処理を、前記白パターンの前記輝度の関数とした場合に、前記所定の非線形処理の１次導関数に、前記白パターンの前記輝度の平方根を乗算して乗算結果を求め、前記ノイズ測定部により測定された前記測定値と前記乗算結果との間の比をゲインとして計算するゲイン計算部を備え、
前記判定部は、
前記ゲイン計算部により計算された前記ゲインに、前記所定の非線形処理の１次導関数を乗算し、さらに前記白パターンの前記輝度の平方根を乗算して前記トータルノイズまたは前記ランダムノイズの計算値を求め、前記ノイズ測定部により求めた前記測定値と前記計算値との間の差分に基づいて、前記ポイントを判定し、当該ポイントにおける前記輝度を求める、ことを特徴とするダイナミックレンジ測定装置。
【請求項４】
光源装置により発光させた白パターンを撮影するカメラから、前記白パターンの映像信号を入力し、前記カメラのダイナミックレンジを測定するダイナミックレンジ測定装置において、
前記白パターンの前記映像信号に基づいて、トータルノイズの測定値を、前記白パターンの輝度の関数として求めるトータルノイズ測定部と、
前記カメラによる所定の非線形処理を、前記白パターンの前記輝度の関数とした場合に、前記所定の非線形処理の１次導関数に、前記白パターンの前記輝度の平方根を乗算して乗算結果を求め、前記トータルノイズ測定部により測定された前記測定値と前記乗算結果との間の比をゲインとして計算するゲイン計算部と、
前記光源装置の輝度若しくは照度または前記カメラのレンズのＦ値を変更するための制御信号を出力することで、前記白パターンの前記輝度を変化させ、前記トータルノイズ測定部に、新たな前記トータルノイズの前記測定値を求めさせ、
前記ゲイン計算部により計算された前記ゲインに、前記所定の非線形処理の１次導関数を乗算し、さらに前記白パターンの前記輝度の平方根を乗算して前記トータルノイズの計算値を求め、前記トータルノイズ測定部により求めた前記測定値から前記計算値を減算して減算結果を求め、
当該減算結果の絶対値が最大となるポイントまたは当該減算結果が最小となるポイントを判定し、当該ポイントにおける前記輝度を求める判定部と、
前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、
を備えたことを特徴とするダイナミックレンジ測定装置。
【請求項５】
光源装置により発光させた白パターンを撮影するカメラから、前記白パターンの映像信号を入力し、前記カメラのダイナミックレンジを測定するダイナミックレンジ測定装置において、
前記白パターンの前記映像信号に基づいて、ランダムノイズの測定値を、前記白パターンの輝度の関数として求めるランダムノイズ測定部と、
前記カメラによる所定の非線形処理を、前記白パターンの前記輝度の関数とした場合に、前記所定の非線形処理の１次導関数に、前記白パターンの前記輝度の平方根を乗算して乗算結果を求め、前記ランダムノイズ測定部により測定された前記測定値と前記乗算結果との間の比をゲインとして計算するゲイン計算部と、
前記光源装置の輝度若しくは照度または前記カメラのレンズのＦ値を変更するための制御信号を出力することで、前記白パターンの前記輝度を変化させ、前記ランダムノイズ測定部に、新たな前記ランダムノイズの前記測定値を求めさせ、
前記ゲイン計算部により計算された前記ゲインに、前記所定の非線形処理の１次導関数を乗算し、さらに前記白パターンの前記輝度の平方根を乗算して前記ランダムノイズの計算値を求め、前記ランダムノイズ測定部により求めた前記測定値から前記計算値を減算して減算結果を求め、
当該減算結果の絶対値が最大となるポイントまたは当該減算結果が最小となるポイントを判定し、当該ポイントにおける前記輝度を求める判定部と、
前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、
を備えたことを特徴とするダイナミックレンジ測定装置。
【請求項６】
請求項５に記載のダイナミックレンジ測定装置において、
前記ランダムノイズ測定部は、
連続する２フレームの前記映像信号の差分を求め、当該差分のＲＭＳ値に基づいて、前記ランダムノイズの前記測定値を求める、ことを特徴とするダイナミックレンジ測定装置。
【請求項７】
請求項５に記載のダイナミックレンジ測定装置において、
前記ランダムノイズ測定部は、
連続するＴフレーム（Ｔは２以上の整数）の前記映像信号の加算平均を求め、所定のフレームの前記映像信号と前記加算平均との間の差分を求め、当該差分のＲＭＳ値に基づいて、前記ランダムノイズの前記測定値を求める、ことを特徴とするダイナミックレンジ測定装置。
【請求項８】
請求項１から７までのいずれか一項に記載のダイナミックレンジ測定装置において、
前記白パターンの前記輝度の代わりに、前記白パターンの照度または前記カメラのレンズのＦ値を用いる、ことを特徴とするダイナミックレンジ測定装置。
【請求項９】
コンピュータを、請求項１から８までのいずれか一項に記載のダイナミックレンジ測定装置として機能させるためのプログラム。
【発明の詳細な説明】
【技術分野】
【０００１】
本発明は、カメラのダイナミックレンジを測定する装置及びプログラムに関する。
【背景技術】
【０００２】
一般に、テレビジョンカメラ等のカメラのダイナミックレンジは、カメラの映像信号が公称ピークレベルＶ100%となるときの照度Ｅ1と、それ以上の光量が入ったときにクリップレベルＶCLIPを超えず、かつ、パターンの階調が潰れないで再現可能な映像信号レベルＶmaxを得るときの照度Ｅ2との間の比として定義される。ダイナミックレンジの単位は％とし、映像信号レベルＶmaxは、Ｖ100%≦Ｖmax≦ＶCLIPを満たすものとする。
【０００３】
図１２（１）は、ダイナミックレンジＤを測定する際に用いるテストチャート（グレイスケールチャート）であり、図１２（２）は、テストチャートの各ステップの反射率を示す図である。従来、カメラのダイナミックレンジＤは、非特許文献１の“映像監視システム機器スペック規定方法”に従い、図１２（１）（２）に示すように、反射率が８９．９％のステップ番号１等のテストチャートを用いて測定していた。
【０００４】
具体的には、ダイナミックレンジＤは、以下の（Ｓ１）〜（Ｓ１０）の手順に従い、ユーザの操作により目視にて測定される。
（Ｓ１）カメラのガンマ補正をオフとし、ニー圧縮をオフとする。
（Ｓ２）色温度を３１００Ｋ及びテストチャートの面照度を２０００ｌｘの照明条件において、ステップ番号１の白パターンに対応するＲ，Ｇ，Ｂチャンネルのリニア信号Ｓが基準リニア信号レベルＳ100%となるように、レンズの絞りを調整する。
（Ｓ３）カメラのガンマ補正をオンとする。
（Ｓ４）ステップ番号１の白パターンに対応するＲ，Ｇ，Ｂチャンネルの映像信号Ｖが公称ピークレベルＶ100%であることを確認する。このときの照度をＥ1、レンズのＦ値（絞り値）をＦ1とする。
（Ｓ５）カメラのニー圧縮をオンとする。
（Ｓ６）ニー圧縮のニーポイントＶkneeを、カメラで設定可能な最低値に設定する。
（Ｓ７）後述する（Ｓ８）（Ｓ９）において、ステップ番号１の白パターンに対応するＲ，Ｇ，Ｂチャンネルの映像信号ＶがクリップレベルＶCLIPまで到達するように、ニースロープＫを設定する。
（Ｓ８）ステップ番号１の白パターンに対応するＲ，Ｇ，Ｂチャンネルの映像信号Ｖのうち、少なくとも１つ以上のチャンネルがクリップレベルＶCLIPを超えるまで、照明の光量を増やすか、またはレンズのＦ値を開放する。この手順を実行した後、（Ｓ１０）へ進む。
（Ｓ９）ステップ番号１の白パターンに対応するＲ，Ｇ，Ｂチャンネルの映像信号Ｖのうち、少なくとも１つ以上のチャンネルがクリップレベルＶCLIPを超えず、かつステップ番号１の白パターンとステップ番号２の白パターンとの間のレベル差が生じなくなる照度Ｅ2及びレンズのＦ値Ｆ2を測定する。
（Ｓ１０）ダイナミックレンジＤを計算する。
【０００５】
前記（Ｓ８）及び前記（Ｓ９）において、照明の光量を増加させた場合は、以下の式（１）を用いてダイナミックレンジＤを計算する。また、レンズのＦ値を変化させた場合は、以下の式（２）を用いてダイナミックレンジＤを計算する。
〔数１〕
Ｄ＝（Ｅ2／Ｅ1）×１００％      ・・・（１）
〔数２〕
Ｄ＝（Ｆ1／Ｆ2）2×１００％      ・・・（２）
【先行技術文献】
【非特許文献】
【０００６】
【非特許文献１】JEITA TTR-4602C，(2015)，“映像監視システム機器スペック規定方法”
【発明の概要】
【発明が解決しようとする課題】
【０００７】
前述の従来の測定方法は、ステップ番号１の白パターンとステップ番号２の白パターンとの間のレベル差を、波形モニタを用いて目視により確認するため、手軽にその値を読み取ることができる。
【０００８】
しかしながら、この測定方法では、ガンマ補正及びニー圧縮等の非線形処理を含めて測定を行うため、これらの設定によって測定結果が変わることがあり得る。また、波形に含まれるランダムノイズの影響で測定結果が変わることもあり得る。
【０００９】
このため、従来の測定方法では、測定結果に誤差が生じ、精度の高いダイナミックレンジＤを得ることができないという問題があった。
【００１０】
そこで、本発明は前記課題を解決するためになされたものであり、その目的は、カメラのダイナミックレンジＤを高精度に測定可能なダイナミックレンジ測定装置及びプログラムを提供することにある。
【課題を解決するための手段】
【００１１】
前記課題を解決するために、請求項１のダイナミックレンジ測定装置は、カメラのダイナミックレンジを測定するダイナミックレンジ測定装置において、前記カメラにより撮影された白パターンの映像信号を入力し、当該映像信号に基づいて、トータルノイズまたはランダムノイズの測定値を、前記白パターンの輝度の関数として求めるノイズ測定部と、前記ノイズ測定部により測定された前記トータルノイズまたは前記ランダムノイズの前記測定値が、前記白パターンの前記輝度の増加に伴って減少するポイントを判定し、当該ポイントにおける前記輝度を求める判定部と、前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、を備えたことを特徴とする。
【００１２】
また、請求項２のダイナミックレンジ測定装置は、請求項１に記載のダイナミックレンジ測定装置において、前記判定部が、前記測定値の１次導関数が極値となるポイントまたは前記１次導関数が減少し始めるポイントを判定し、当該ポイントにおける前記輝度を求める、ことを特徴とする。
【００１３】
また、請求項３のダイナミックレンジ測定装置は、請求項１に記載のダイナミックレンジ測定装置において、さらに、前記カメラによる所定の非線形処理を、前記白パターンの前記輝度の関数とした場合に、前記所定の非線形処理の１次導関数に、前記白パターンの前記輝度の平方根を乗算して乗算結果を求め、前記ノイズ測定部により測定された前記測定値と前記乗算結果との間の比をゲインとして計算するゲイン計算部を備え、前記判定部が、前記ゲイン計算部により計算された前記ゲインに、前記所定の非線形処理の１次導関数を乗算し、さらに前記白パターンの前記輝度の平方根を乗算して前記トータルノイズまたは前記ランダムノイズの計算値を求め、前記ノイズ測定部により求めた前記測定値と前記計算値との間の差分に基づいて、前記ポイントを判定し、当該ポイントにおける前記輝度を求める、ことを特徴とする。
【００１４】
また、請求項４のダイナミックレンジ測定装置は、光源装置により発光させた白パターンを撮影するカメラから、前記白パターンの映像信号を入力し、前記カメラのダイナミックレンジを測定するダイナミックレンジ測定装置において、前記白パターンの映像信号に基づいて、トータルノイズの測定値を、前記白パターンの輝度の関数として求めるトータルノイズ測定部と、前記カメラによる所定の非線形処理を、前記白パターンの前記輝度の関数とした場合に、前記所定の非線形処理の１次導関数に、前記白パターンの前記輝度の平方根を乗算して乗算結果を求め、前記トータルノイズ測定部により測定された前記測定値と前記乗算結果との間の比をゲインとして計算するゲイン計算部と、前記光源装置の輝度若しくは照度または前記カメラのレンズのＦ値を変更するための制御信号を出力することで、前記白パターンの前記輝度を変化させ、前記トータルノイズ測定部に、新たな前記トータルノイズの前記測定値を求めさせ、前記ゲイン計算部により計算された前記ゲインに、前記所定の非線形処理の１次導関数を乗算し、さらに前記白パターンの前記輝度の平方根を乗算して前記トータルノイズの計算値を求め、前記トータルノイズ測定部により求めた前記測定値から前記計算値を減算して減算結果を求め、当該減算結果の絶対値が最大となるポイントまたは当該減算結果が最小となるポイントを判定し、当該ポイントにおける前記輝度を求める判定部と、前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、を備えたことを特徴とする。
【００１５】
また、請求項５のダイナミックレンジ測定装置は、光源装置により発光させた白パターンを撮影するカメラから、前記白パターンの映像信号を入力し、前記カメラのダイナミックレンジを測定するダイナミックレンジ測定装置において、前記白パターンの映像信号に基づいて、ランダムノイズの測定値を、前記白パターンの輝度の関数として求めるランダムノイズ測定部と、前記カメラによる所定の非線形処理を、前記白パターンの前記輝度の関数とした場合に、前記所定の非線形処理の１次導関数に、前記白パターンの前記輝度の平方根を乗算して乗算結果を求め、前記ランダムノイズ測定部により測定された前記測定値と前記乗算結果との間の比をゲインとして計算するゲイン計算部と、前記光源装置の輝度若しくは照度または前記カメラのレンズのＦ値を変更するための制御信号を出力することで、前記白パターンの前記輝度を変化させ、前記ランダムノイズ測定部に、新たな前記ランダムノイズの前記測定値を求めさせ、前記ゲイン計算部により計算された前記ゲインに、前記所定の非線形処理の１次導関数を乗算し、さらに前記白パターンの前記輝度の平方根を乗算して前記ランダムノイズの計算値を求め、前記ランダムノイズ測定部により求めた前記測定値から前記計算値を減算して減算結果を求め、当該減算結果の絶対値が最大となるポイントまたは当該減算結果が最小となるポイントを判定し、当該ポイントにおける前記輝度を求める判定部と、前記判定部により求めた前記輝度、及び前記カメラにより撮影された前記白パターンの前記映像信号が所定の公称ピークレベルとなるときの前記輝度を用いて、前記ダイナミックレンジを計算するダイナミックレンジ計算部と、を備えたことを特徴とする。
【００１６】
また、請求項６のダイナミックレンジ測定装置は、請求項５に記載のダイナミックレンジ測定装置において、前記ランダムノイズ測定部が、連続する２フレームの前記映像信号の差分を求め、当該差分のＲＭＳ値に基づいて、前記ランダムノイズの前記測定値を求める、ことを特徴とする。
【００１７】
また、請求項７のダイナミックレンジ測定装置は、請求項５に記載のダイナミックレンジ測定装置において、前記ランダムノイズ測定部が、連続するＴフレーム（Ｔは２以上の整数）の前記映像信号の加算平均を求め、所定のフレームの前記映像信号と前記加算平均との間の差分を求め、当該差分のＲＭＳ値に基づいて、前記ランダムノイズの前記測定値を求める、ことを特徴とする。
【００１８】
また、請求項８のダイナミックレンジ測定装置は、請求項１から７までのいずれか一項に記載のダイナミックレンジ測定装置において、前記白パターンの前記輝度の代わりに、前記白パターンの照度または前記カメラのレンズのＦ値を用いる、ことを特徴とする。
【００１９】
さらに、請求項９のプログラムは、コンピュータを、請求項１から８までのいずれか一項に記載のダイナミックレンジ測定装置として機能させることを特徴とする。
【発明の効果】
【００２０】
以上のように、本発明によれば、カメラのダイナミックレンジＤを高精度に測定することができる。
【図面の簡単な説明】
【００２１】
【図１】実施例１のダイナミックレンジ測定装置を含む全体システムを示す図である。
【図２】実施例１のダイナミックレンジ測定装置の処理例を示すフローチャートである。
【図３】ステップＳ２０１，Ｓ２０２，Ｓ２０５におけるトータルノイズＮT（Ｌ）の測定処理例を示すフローチャートである。
【図４】実施例２のダイナミックレンジ測定装置を含む全体システムを示す図である。
【図５】実施例３のダイナミックレンジ測定装置を含む全体システムを示す図である。
【図６】実施例３のダイナミックレンジ測定装置の処理例を示すフローチャートである。
【図７】ステップＳ６０１，Ｓ６０２，Ｓ６０５におけるランダムノイズＮR1（Ｌ）の測定処理例を示すフローチャートである。
【図８】実施例４のダイナミックレンジ測定装置を含む全体システムを示す図である。
【図９】実施例５のダイナミックレンジ測定装置を含む全体システムを示す図である。
【図１０】ランダムノイズＮR2（Ｌ）の測定処理例を示すフローチャートである。
【図１１】実施例６のダイナミックレンジ測定装置を含む全体システムを示す図である。
【図１２】（１）は、ダイナミックレンジＤを測定する際に用いるテストチャート（グレイスケールチャート）である。（２）は、テストチャートの各ステップの反射率を示す図である。
【図１３】非線形処理ｆ（ｘ）によるノイズレベルの変化を示す図である。
【図１４】シーンの相対輝度Ｌと白パターンの映像信号Ｖの関係を示す図である。
【図１５】シーンの相対輝度ＬとノイズＮnleの測定値及び計算値ｇ（Ｌ）の関係を示す図である。
【図１６】シーンの相対輝度ＬとノイズＮnleの測定値及び計算値ｇ（Ｌ）の１次導関数の関係を示す図である。
【発明を実施するための形態】
【００２２】
以下、本発明を実施するための形態について図面を用いて詳細に説明する。
〔本発明の概要〕
まず、本発明の概要について説明する。本発明は、ある白パターンに対する映像信号のノイズを、照明（白パターン）の照度若しくは輝度、またはレンズのＦ値の関数として測定し、映像信号がクリップされるポイント、すなわち照度若しくは輝度の増加またはＦ値の減少に伴い、ノイズの測定値が減少するポイントを判定し、当該ポイントの照度、輝度またはＦ値に基づいて、ダイナミックレンジＤを求めることを特徴とする。
【００２３】
これにより、非線形処理の設定はノイズに反映されないから、非線形処理の設定が変わってもダイナミックレンジＤが変わることはない。つまり、カメラのダイナミックレンジＤを定量的に測定するようにしたから、そのダイナミックレンジＤを高精度に測定することができる。
【００２４】
一般に、非線形処理前のリニア信号に含まれる光ショットノイズＮは、ａ（ゲイン），ｂを正の定数、Ｅを像面における白パターンの照度とすると、以下の式にて表される。
〔数３〕
Ｎ＝ａ・√（ｂＥ）
＝ａ・√（Ｌ）      ・・・（３）
ここで、ｂＥ＝Ｌとし、これをシーンの相対輝度とする。
【００２５】
映像信号がクリップしていない場合、またはカメラが飽和していない場合、ｘを非線形処理への入力信号とし、非線形処理の関数をｆ（ｘ）とすると、非線形処理後の映像信号Ｖに含まれるノイズＮnleは、以下の式にて表される。
〔数４〕
Ｎnle＝ｆ’（Ｌ）・Ｎ
＝ｆ’（Ｌ）・ａ・√（Ｌ）        ・・・（４）
【００２６】
尚、非線形処理ｆ（ｘ）はｆ（ｘ）＞０を満たし、かつ単調に増加する関数であるとする。さらに、その微分値である１次導関数ｆ’（ｘ）は、ｆ’（ｘ）＞０を満たし、かつ単調に減少する関数とする。Ｅ＞０とし、前記式（４）の右辺をノイズＮnleの計算値ｇ（Ｌ）とする。
【００２７】
図１３は、非線形処理ｆ（ｘ）によるノイズレベルの変化を示す図である。非線形処理ｆ（ｘ）が連続かつ単調に増加する関数であり、映像信号のレベルをＶ、ノイズレベルをＮ、Ｎの絶対値が十分に小さい正の実数であるとする。非線形処理が施された後のノイズレベルを含む映像信号（Ｖ＋Ｎ）は、次の式にて表される。
〔数５〕
ｆ（Ｖ＋Ｎ）＝ｆ（Ｖ）＋ｆ’（Ｖ）・Ｎ      ・・・（５）
【００２８】
非線形処理が施された後のノイズレベルは、次の式にて表される。
〔数６〕
ｆ（Ｖ＋Ｎ）−ｆ（Ｖ）＝ｆ’（Ｖ）・Ｎ      ・・・（６）
【００２９】
また、ノイズがショットノイズのみであるとすると、以下の式が成立する。この場合、前記式（６）の左辺は、ノイズＮnleである。
〔数７〕
Ｎnle＝ｆ’（Ｖ）・ａ・√（Ｌ）      ・・・（７）
【００３０】
このように、前記式（７）は前記式（４）を意味するから、非線形処理後の映像信号Ｖに含まれるノイズＮnleは、前記式（４）にて表される。
【００３１】
図１４は、シーンの相対輝度Ｌと白パターンの映像信号Ｖの関係を示す図であり、図１５は、シーンの相対輝度ＬとノイズＮnleの測定値及び計算値ｇ（Ｌ）の関係を示す図である。図１５において、大きい丸印が付されたグラフは、ノイズＮnleの測定値を示し、小さい丸印が付されたグラフは、ノイズＮnleの計算値ｇ（Ｌ）を示す。
【００３２】
図１４に示すように、映像信号Ｖがあるシーンの相対輝度Ｌでクリップされるか、または、映像信号Ｖを出力するカメラ１３のイメージセンサが飽和し始めると、図１５に示すように、ノイズＮnleの測定値が減少する。また、映像信号Ｖがクリップポイントを超えた後も、ノイズＮnleの測定値が減少していく。シーンの相対輝度Ｌがさらに上がると、ノイズＮnleの測定値は最小値となる。これに対し、ノイズＮnleの計算値ｇ（Ｌ）は減少しない。
【００３３】
図１６は、シーンの相対輝度ＬとノイズＮnleの測定値及び計算値ｇ（Ｌ）の１次導関数の関係を示す図である。図１６において、バツ印が付されたグラフは、ノイズＮnleの測定値の１次導関数を示し、印が付されていないグラフは、ノイズＮnleの計算値ｇ（Ｌ）の１次導関数、すなわち計算値ｇ’（Ｌ）を示す。図１５に示したノイズＮnleの測定値及び計算値ｇ（Ｌ）の違いは、図１６に示すように、これらの１次導関数を計算することにより検知することができる。
【００３４】
図１６から、ノイズＮnleの測定値の１次導関数と、ノイズＮnleの計算値ｇ（Ｌ）の１次導関数（ｇ’（Ｌ））とがフィッテングしないこと（丸型の破線箇所を参照）、また、ノイズＮnleの測定値の１次導関数が極小値（αの箇所）をとることがわかる。
【００３５】
本発明では、映像信号Ｖがクリップされるポイントまたは映像信号Ｖが飽和するポイント、すなわちシーンの相対輝度Ｌの増加に伴って漸次変化していたノイズＮnleの測定値が、以前よりも減少するポイント（減少の程度が大きいポイント）を判定し、当該ポイントの相対輝度Ｌを求める。例えば、ノイズＮnleの測定値の１次導関数が極小値となるときのシーンの相対輝度Ｌmax、または、ノイズＮnleの測定値の１次導関数が減少し始めるときのシーンの相対輝度Ｌpを求める。そして、本発明では、このときの相対輝度Ｌmax＝ＬiまたはＬp＝Ｌi、及びカメラにより撮影された白パターンの映像信号が公称ピークレベルＶ100%となるときの相対輝度Ｌ0を用いて、ダイナミックレンジＤを求める。以下、本発明について実施例１〜６を挙げて具体的に説明する。
【００３６】
〔実施例１〕
まず、実施例１について説明する。実施例１は、発光シーンの白パターンの相対輝度Ｌi（シーンの相対輝度Ｌi）を増加させる輝度制御信号を生成して光源を制御し、白パターンに対する映像信号のトータルノイズＮT（Ｌi）を相対輝度Ｌiの関数として測定し、相対輝度Ｌiの増加に伴ってトータルノイズＮT（Ｌi）が減少するポイントの相対輝度Ｌi等に基づいて、ダイナミックレンジＤを求める例である。
【００３７】
図１は、実施例１のダイナミックレンジ測定装置を含む全体システムを示す図である。このシステムは、白パターン部材１１が装着された光源装置１０、レンズ１２が装着されたカメラ１３及びダイナミックレンジ測定装置１を備えて構成される。
【００３８】
光源装置１０は、輝度が均一な透過型の面光源であり、カメラ１３の方向に、照度が均一な透過型の白パターン部材１１が装着されている。光源装置１０は、白パターン部材１１を介して、白パターンをカメラ１３へ発光する。
【００３９】
光源装置１０は、輝度を自動変更する機構を備えている。光源装置１０は、ダイナミックレンジ測定装置１から輝度制御信号を入力し、輝度制御信号に基づいて、白パターンの相対輝度Ｌiが輝度制御信号の示す相対輝度Ｌiとなるように、白パターン部材１１を介して白パターンを発光する。
【００４０】
尚、光源装置１０は、透過型の白パターン部材１１に代えて、反射型の白パターン部材１１を装着するようにしてもよい。
【００４１】
カメラ１３は、レンズ１２が装着されており、レンズ１２を介して、白パターン部材１１が装着された光源装置１０による発光シーンの白パターンを撮影する。カメラ１３は、撮影した白パターンに対応する映像信号をダイナミックレンジ測定装置１へ出力する。
【００４２】
ダイナミックレンジ測定装置１は、シーンの相対輝度Ｌiを変化させるための輝度制御信号を光源装置１０へ出力し、カメラ１３から、シーンの相対輝度Ｌiを変化させたときの映像信号を入力する。
【００４３】
ダイナミックレンジ測定装置１は、映像信号に基づいてトータルノイズＮT（Ｌi）を測定する（トータルノイズ測定値を求める）。ダイナミックレンジ測定装置１は、映像信号がクリップされるポイントまたは映像信号が飽和するポイント、すなわちシーンの相対輝度Ｌiの増加に伴って漸次変化していたトータルノイズＮT（Ｌi）が、以前よりも減少するポイントを判定する。例えば、ダイナミックレンジ測定装置１は、シーンの相対輝度Ｌiに対するトータルノイズＮT（Ｌi）の１次導関数が極小値となるポイント、またはトータルノイズＮT（Ｌi）の１次導関数が減少し始めるポイントを判定する。そして、ダイナミックレンジ測定装置１は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【００４４】
図１に示すように、ダイナミックレンジ測定装置１は、トータルノイズ測定部２０−１、ゲイン計算部２１、極値判定部２２−１及びダイナミックレンジ計算部２３を備えている。
【００４５】
トータルノイズ測定部２０−１は、カメラ１３から入力した映像信号に基づいて、シーンの相対輝度ＬiにおけるトータルノイズＮT（Ｌi）を測定する。トータルノイズＮT（Ｌi）の測定処理の詳細については後述する。そして、トータルノイズ測定部２０−１は、トータルノイズＮT（Ｌi）をゲイン計算部２１及び極値判定部２２−１に出力する。ここで、トータルノイズＮT（Ｌi）には、固定パターンノイズ及びランダムノイズＮR（Ｌi）が含まれる。
【００４６】
ゲイン計算部２１は、トータルノイズ測定部２０−１からトータルノイズＮT（Ｌi）を入力し、トータルノイズＮT（Ｌi）であるノイズの測定値及びノイズの計算値に関するゲインの推定値ａ＾を計算し、ゲインの推定値ａ＾を極値判定部２２−１に出力する。ゲインの推定値ａ＾を計算する処理の詳細については後述する。
【００４７】
極値判定部２２−１は、トータルノイズ測定部２０−１からトータルノイズＮT（Ｌi）を入力すると共に、ゲイン計算部２１からゲインの推定値ａ＾を入力する。そして、極値判定部２２−１は、シーンの相対輝度Ｌiにおけるノイズの計算値（ａ＾・ｆ’（Ｌi）・√（Ｌi））を求める。前述のとおり、ｆ’（Ｌi）は、非線形処理ｆ（Ｌi）の微分値である１次導関数であり、非線形処理ｆ（Ｌi）及びその１次導関数ｆ’（Ｌi）は予め設定される。
【００４８】
極値判定部２２−１は、シーンの相対輝度Ｌiを増加させる輝度制御信号を生成して光源装置１０へ出力し、トータルノイズＮT（Ｌi）及びノイズの計算値（ａ＾・ｆ’（Ｌi）・√（Ｌi））に基づいて、例えばトータルノイズＮT（Ｌi）の１次導関数の極値を判定する。そして、極値判定部２２−１は、その極値における相対輝度Ｌiをダイナミックレンジ計算部２３に出力する。極値の判定手法等の詳細については後述する。
【００４９】
ダイナミックレンジ計算部２３は、極値判定部２２−１から極値における相対輝度Ｌiを入力し、相対輝度Ｌi等を用いてダイナミックレンジＤを求める。
【００５０】
図２は、実施例１のダイナミックレンジ測定装置１の処理例を示すフローチャートである。まず、カメラ１３は、映像信号が公称ピークレベルＶ100%となるときの白パターンを撮影する。このときのシーンの相対輝度をＬ0とする。トータルノイズ測定部２０−１は、このときの映像信号を入力し、映像信号に基づいて、シーンの相対輝度Ｌ0のときのトータルノイズＮT（Ｌ0）を測定する（ステップＳ２０１）。
【００５１】
図３は、図２のステップＳ２０１，Ｓ２０２，Ｓ２０５におけるトータルノイズＮT（Ｌ）の測定処理例を示すフローチャートである。映像信号における水平画素数をＭ、垂直画素数をＮとし、被測定領域における水平画素の座標ｘをＭ1≦ｘ≦Ｍ2、垂直画素の座標ｙをＮ1≦ｙ≦Ｎ2とする。また、０≦ｘ≦Ｍ−１，０≦ｙ≦Ｎ−１とする。
【００５２】
トータルノイズ測定部２０−１は、シーンの相対輝度Ｌのときの１フレームの映像信号について、被測定領域である有効エリアのデータＶ1（ｘ，ｙ）を取得する（ステップＳ３０１）。
【００５３】
トータルノイズ測定部２０−１は、データＶ1（ｘ，ｙ）のＲＭＳ（Root Mean Square：二乗平均平方根）値をトータルノイズＮT（Ｌ）として求める（ステップＳ３０２）。
【００５４】
具体的には、トータルノイズ測定部２０−１は、以下の式にて、データＶ1（ｘ，ｙ）の平均値Ｖ1#を求める。
〔数８〕
2020048003.tif 000003
【００５５】
トータルノイズ測定部２０−１は、以下の式にて、データＶ1（ｘ，ｙ）のＲＭＳ値をトータルノイズＮT（Ｌ）として求める。
〔数９〕
2020048003.tif 000004
【００５６】
図２に戻って、カメラ１３は、シーンの相対輝度Ｌiのときの白パターンを撮影する。トータルノイズ測定部２０−１は、このときの映像信号を入力し、映像信号に基づいて、図３に示した測定処理にて、シーンの相対輝度ＬiのときのトータルノイズＮT（Ｌi）を測定する（ステップＳ２０２）。
【００５７】
ゲイン計算部２１は、トータルノイズ測定部２０−１により測定されたトータルノイズＮT（Ｌi）を用いて、以下の式にて、ゲインの推定値ａ＾を計算する（ステップＳ２０３）。
〔数１０〕
ａ＾＝ＮT（Ｌi）／｛ｆ’（Ｌi）・√（Ｌi）｝      ・・・（１０）
【００５８】
ゲインの推定値ａ＾は、トータルノイズＮT（Ｌi）と、非線形処理の１次導関数ｆ’（Ｌi）に、シーンの相対輝度Ｌiの平方根√（Ｌi）を乗算した乗算結果との間の比である。
【００５９】
尚、ゲインの推定値ａ＾を計算するときのシーンの相対輝度Ｌiは、相対輝度Ｌ0であってもよい。また、トータルノイズ測定部２０−１は、複数のシーンの相対輝度Ｌiのそれぞれについて、トータルノイズＮT（Ｌi）を測定し、ゲイン計算部２１は、複数のトータルノイズＮT（Ｌi）を用いて、曲線回帰によりゲインの推定値ａ＾を計算するようにしてもよい。
【００６０】
極値判定部２２−１は、カメラ１３がシーンの相対輝度Ｌiのときの白パターンを撮影するように、すなわち光源装置１０がシーンの相対輝度Ｌiのときの白パターンを発光するように、シーンの相対輝度Ｌiに対応する輝度制御信号を生成する。そして、極値判定部２２−１は、輝度制御信号を光源装置１０へ出力する（ステップＳ２０４）。
【００６１】
例えば、極値判定部２２−１は、複数のシーンの相対輝度Ｌiと、これらに対応する輝度制御信号とが格納されたテーブルを備えている。極値判定部２２−１は、第１番目のシーンの相対輝度Ｌiを設定し、テーブルから、第１番目のシーンの相対輝度Ｌiに対応する輝度制御信号を読み出し、これを光源装置１０へ出力する。
【００６２】
極値判定部２２−１は、後述するステップＳ２０８から移行して、第１番目のシーンの相対輝度Ｌiに所定増分を加算し、２番目のシーンの相対輝度Ｌiを設定する。そして、極値判定部２２−１は、テーブルから対応する輝度制御信号を読み出して出力し、後述するステップＳ２０８の条件を満たすまで、相対輝度Ｌiを増加させ、前述の処理を続ける。
【００６３】
尚、極値判定部２２−１は、第１番目のシーンの相対輝度Ｌiを示す輝度制御信号を生成して出力し、第２番目以降のシーンの相対輝度Ｌiについて、出力済みの輝度制御信号に対し、相対輝度Ｌiの所定増分を反映した新たな相対輝度Ｌiを示す輝度制御信号を生成し、これを出力するようにしてもよい。
【００６４】
これにより、光源装置１０は、輝度制御信号を入力し、当該輝度制御信号に基づいて、シーンの相対輝度Ｌiのときの白パターンを発光し、カメラ１３は、シーンの相対輝度Ｌiのときの白パターンを撮影する。
【００６５】
ダイナミックレンジ測定装置１のトータルノイズ測定部２０−１は、このときの映像信号を入力し、トータルノイズＮT（Ｌi）を測定する（ステップＳ２０５）。トータルノイズＮT（Ｌi）は、シーンの相対輝度Ｌiにおけるトータルノイズの測定値である。
【００６６】
極値判定部２２−１は、ゲイン計算部２１によりステップＳ２０３にて計算されたゲインの推定値ａ＾、今回のシーンの相対輝度Ｌi、及び非線形処理ｆ（Ｌi）の１次導関数ｆ’（Ｌi）を用いて、シーンの相対輝度Ｌiにおけるトータルノイズの計算値（ａ＾・ｆ’（Ｌi）・√（Ｌi））を求める（ステップＳ２０６）。
【００６７】
極値判定部２２−１は、シーンの相対輝度Ｌiにおけるトータルノイズの測定値であるトータルノイズＮT（Ｌi）の１次導関数について、極値を判定する（ステップＳ２０７）。
【００６８】
極値判定部２２−１は、相対輝度Ｌiのときの前記１次導関数の値が極値でないと判定した場合（ステップＳ２０８：Ｎ）、ステップＳ２０４へ移行する。そして、極値判定部２２−１は、ステップＳ２０４において、シーンの相対輝度Ｌiを変化させて新たなシーンの相対輝度Ｌiを設定し、新たなシーンの相対輝度Ｌiに対応する輝度制御信号を生成して光源装置１０へ出力する。
【００６９】
一方、極値判定部２２−１は、相対輝度Ｌiのときの前記１次導関数の値が極値であると判定した場合（ステップＳ２０８：Ｙ）、ダイナミックレンジ計算部２３は、相対輝度Ｌi等を用いてダイナミックレンジＤを計算する（ステップＳ２０９）。
【００７０】
例えば、極値判定部２２−１は、ステップＳ２０４〜Ｓ２０８において、以下の式を満たすｉの値を求めるまで、シーンの相対輝度Ｌiを増加させる輝度制御信号を生成して光源装置１０へ出力し、増加する相対輝度Ｌi毎に、トータルノイズＮT（Ｌi）を測定すると共に、トータルノイズの計算値（ａ＾・ｆ’（Ｌi）・√（Ｌi））を求める。
〔数１１〕
ｉ＝argmax｜ＮT（Ｌi）−ａ＾・ｆ’（Ｌi）・√（Ｌi）｜      ・・・（１１）
【００７１】
すなわち、極値判定部２２−１は、前記式（１１）にて、シーンの相対輝度ＬiにおけるトータルノイズＮT（Ｌi）から、シーンの相対輝度Ｌiにおけるトータルノイズの計算値（ａ＾・ｆ’（Ｌi）・√（Ｌi））を減算し、減算結果の絶対値を求め、当該絶対値が最大となるｉの値を求める。
【００７２】
尚、極値判定部２２−１は、前記式（１１）に代えて、以下の式を満たすｉの値を求めるようにしてもよい。
〔数１２〕
ｉ＝argmin｛ＮT（Ｌi）−ａ＾・ｆ’（Ｌi）・√（Ｌi）｝      ・・・（１２）
【００７３】
すなわち、極値判定部２２−１は、前記式（１２）にて、シーンの相対輝度ＬiにおけるトータルノイズＮT（Ｌi）から、シーンの相対輝度Ｌiにおけるトータルノイズの計算値（ａ＾・ｆ’（Ｌi）・√（Ｌi））を減算し、減算結果が最小となるｉの値を求める。
【００７４】
ダイナミックレンジ計算部２３は、ステップＳ２０９において、ステップＳ２０７，Ｓ２０８にて求めたｉの値における（極値における）相対輝度Ｌi、及びカメラ１３により撮影された白パターンの映像信号が公称ピークレベルＶ100%となるときの相対輝度Ｌ0（ステップＳ２０１）を用いて、以下の式にて、ダイナミックレンジＤを求める。
〔数１３〕
Ｄ＝（Ｌi／Ｌ0）×１００％      ・・・（１３）
【００７５】
以上のように、実施例１のダイナミックレンジ測定装置１によれば、トータルノイズ測定部２０−１は、シーンの相対輝度Ｌiのときの映像信号を入力し、映像信号に基づいて、トータルノイズＮT（Ｌi）を測定する。極値判定部２２−１は、シーンの相対輝度Ｌiにおけるトータルノイズの計算値（ａ＾・ｆ’（Ｌi）・√（Ｌi））を求める。これにより、シーンの相対輝度Ｌiにおけるトータルノイズの測定値及び計算値が得られる。
【００７６】
極値判定部２２−１は、シーンの相対輝度Ｌiを増加させる輝度制御信号を生成して光源装置１０へ出力し、増加する相対輝度Ｌi毎に、トータルノイズＮT（Ｌi）を測定すると共に、トータルノイズの計算値（ａ＾・ｆ’（Ｌi）・√（Ｌi））を求める。そして、極値判定部２２−１は、トータルノイズＮT（Ｌi）及びトータルノイズの計算値（ａ＾・ｆ’（Ｌi）・√（Ｌi））に基づいて、極値を判定する。
【００７７】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【００７８】
これにより、白パターンに対する映像信号のトータルノイズＮT（Ｌi）を、相対輝度Ｌiの関数として測定することができ、トータルノイズＮT（Ｌi）及びその計算値（ａ＾・ｆ’（Ｌi）・√（Ｌi））に基づいて、ダイナミックレンジＤを求めることができる。
【００７９】
非線形処理の設定が変わってもトータルノイズＮT（Ｌi）は変化しないから、非線形処理の設定が変わってもダイナミックレンジＤが変わることはない。つまり、ダイナミックレンジＤを定量的に測定するようにしたから、そのダイナミックレンジＤを高精度に測定することができる。
【００８０】
また、トータルノイズＮT（Ｌi）は、１フレームの映像信号から測定されるから、２フレーム以上の映像信号から測定される後述する実施例３〜６のランダムノイズＮR1（Ｌi），ＮR2（Ｌi）を用いる場合に比べ、処理が簡易となる。
【００８１】
〔実施例２〕
次に、実施例２について説明する。実施例２では、前述の実施例１と同様に、トータルノイズＮT（Ｌi）を測定する。また、実施例２では、実施例１にて用いた輝度制御信号の代わりに絞り制御信号を用いる。
【００８２】
具体的には、実施例２は、シーンの相対輝度Ｌiを増加させるために、レンズ１２のＦ値を減少させる絞り制御信号を生成してレンズ１２の絞りを制御し、白パターンに対する映像信号のトータルノイズＮT（Ｌi）を相対輝度Ｌiの関数として測定し、相対輝度Ｌiの増加に伴ってトータルノイズＮT（Ｌi）が減少するポイントの相対輝度Ｌi等に基づいて、ダイナミックレンジＤを求める例である。
【００８３】
図４は、実施例２のダイナミックレンジ測定装置を含む全体システムを示す図である。このシステムは、白パターン部材１１が装着された光源装置１０、レンズ１２が装着されたカメラ１３及びダイナミックレンジ測定装置２を備えて構成される。
【００８４】
白パターン部材１１及びカメラ１３は、図１の実施例１に示したものと同様であるから、ここでは説明を省略する。光源装置１０は、図１に示した光源装置１０と同様に、輝度が均一な透過型の面光源であり、カメラ１３の方向に、照度が均一な透過型の白パターン部材１１が装着されている。光源装置１０は、白パターン部材１１を介して、白パターンを発光する。光源装置１０は、実施例１において、ダイナミックレンジ測定装置１から輝度制御信号を入力するが、実施例２では輝度制御信号を入力しない。
【００８５】
レンズ１２は、絞りを自動変更する機構を備えており、ダイナミックレンジ測定装置２から絞り制御信号を入力し、絞り制御信号に基づいて、当該レンズ１２の絞りが絞り制御信号の示すＦ値となるように（カメラ１３が撮影する白パターンの相対輝度Ｌiに対応するＦ値となるように）、白パターンの入射を制限する。
【００８６】
ダイナミックレンジ測定装置２は、シーンの相対輝度Ｌiを変化させるための絞り制御信号をレンズ１２へ出力し、カメラ１３から、シーンの相対輝度Ｌiを変化させたときの映像信号を入力する。
【００８７】
ダイナミックレンジ測定装置２は、図１のダイナミックレンジ測定装置１と同様に、映像信号に基づいてトータルノイズＮT（Ｌi）を測定する。ダイナミックレンジ測定装置２は、映像信号がクリップされるポイントまたは映像信号が飽和するポイント、すなわちシーンの相対輝度Ｌiの増加に伴って漸次変化していたトータルノイズＮT（Ｌi）が、以前よりも減少するポイントを判定する。例えば、ダイナミックレンジ測定装置２は、シーンの相対輝度Ｌiに対するトータルノイズＮT（Ｌi）の１次導関数が極小値となるポイント、またはトータルノイズＮT（Ｌi）の１次導関数が減少し始めるポイントを判定する。そして、ダイナミックレンジ測定装置２は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【００８８】
図４に示すように、ダイナミックレンジ測定装置２は、トータルノイズ測定部２０−１、ゲイン計算部２１、極値判定部２２−２及びダイナミックレンジ計算部２３を備えている。
【００８９】
図１に示した実施例１のダイナミックレンジ測定装置１と図４に示す実施例２のダイナミックレンジ測定装置２とを比較すると、両ダイナミックレンジ測定装置１，２は、トータルノイズ測定部２０−１、ゲイン計算部２１及びダイナミックレンジ計算部２３を備えている点で共通する。一方、ダイナミックレンジ測定装置２は、ダイナミックレンジ測定装置１に備えた極値判定部２２−１の代わりに極値判定部２２−２を備えている点で、ダイナミックレンジ測定装置１と相違する。
【００９０】
トータルノイズ測定部２０−１、ゲイン計算部２１及びダイナミックレンジ計算部２３は、図１の実施例１に示したものと同様であるから、ここでは説明を省略する。
【００９１】
極値判定部２２−２は、トータルノイズ測定部２０−１からトータルノイズＮT（Ｌi）を入力すると共に、ゲイン計算部２１からゲインの推定値ａ＾を入力する。そして、極値判定部２２−２は、シーンの相対輝度Ｌiにおけるノイズの計算値（ａ＾・ｆ’（Ｌi）・√（Ｌi））を求める。
【００９２】
極値判定部２２−２は、シーンの相対輝度Ｌiを増加させる絞り制御信号を生成してレンズ１２へ出力し、トータルノイズＮT（Ｌi）及びノイズの計算値（ａ＾・ｆ’（Ｌi）・√（Ｌi））に基づいて、例えばトータルノイズＮT（Ｌi）の１次導関数の極値を判定する。そして、極値判定部２２−２は、その極値における相対輝度Ｌiをダイナミックレンジ計算部２３に出力する。
【００９３】
ダイナミックレンジ測定装置２は、図２に示したフローチャートにおいて、ステップＳ２０１〜Ｓ２０３，Ｓ２０５〜Ｓ２０９と同様の処理を行う。
【００９４】
ダイナミックレンジ測定装置２の極値判定部２２−２は、ステップＳ２０４において、レンズ１２が白パターンの入射を制限して、カメラ１３がシーンの相対輝度Ｌiのときの白パターンを撮影するように、シーンの相対輝度Ｌiに対応する絞り制御信号を生成する。そして、極値判定部２２−２は、絞り制御信号をレンズ１２へ出力する。
【００９５】
例えば、極値判定部２２−２は、複数のシーンの相対輝度Ｌiと、これらに対応するＦ値と、これらのＦ値に対応する絞り制御信号とが格納されたテーブルを備えている。極値判定部２２−２は、第１番目のシーンの相対輝度Ｌiを設定し、テーブルから、第１番目のシーンの相対輝度Ｌiに対応するＦ値の絞り制御信号を読み出し、これをレンズ１２へ出力する。
【００９６】
極値判定部２２−２は、図２のステップＳ２０８から移行して、第１番目のシーンの相対輝度Ｌiに所定増分を加算し、２番目のシーンの相対輝度Ｌiを設定し、テーブルから対応するＦ値の絞り制御信号を読み出して出力する。極値判定部２２−２は、図２のステップＳ２０８の条件を満たすまで、相対輝度Ｌiを増加させ（Ｆ値を減少させ）、前述の処理を続ける。
【００９７】
尚、極値判定部２２−２は、第１番目のシーンの相対輝度Ｌiに対応するＦ値を示す絞り制御信号を生成して出力し、第２番目以降のシーンの相対輝度Ｌiについて、出力済みの絞り制御信号に対し、相対輝度の所定増分に対応するＦ値の所定減分を反映した新たなＦ値を示す絞り制御信号を生成し、これを出力するようにしてもよい。
【００９８】
これにより、レンズ１２は、絞り制御信号を入力し、当該絞り制御信号に基づいて、カメラ１３がシーンの相対輝度Ｌiのときの白パターンを撮影するように、入射を制限する。
【００９９】
つまり、極値判定部２２−２は、図２のステップＳ２０４〜Ｓ２０８において、前記式（１１）または（１２）を満たすｉの値を求めるまで、シーンの相対輝度Ｌiを増加させる（Ｆ値を減少させる）絞り制御信号を生成してレンズ１２へ出力し、増加する相対輝度Ｌi毎に、トータルノイズＮT（Ｌi）を測定すると共に、トータルノイズの計算値（ａ＾・ｆ’（Ｌi）・√（Ｌi））を求める。
【０１００】
以上のように、実施例２のダイナミックレンジ測定装置２によれば、トータルノイズ測定部２０−１は、シーンの相対輝度Ｌiのときの映像信号を入力し、映像信号に基づいて、トータルノイズＮT（Ｌi）を測定する。極値判定部２２−２は、シーンの相対輝度Ｌiにおけるトータルノイズの計算値（ａ＾・ｆ’（Ｌi）・√（Ｌi））を求める。これにより、シーンの相対輝度Ｌiにおけるトータルノイズの測定値及び計算値が得られる。
【０１０１】
極値判定部２２−２は、シーンの相対輝度Ｌiを増加させる（Ｆ値を減少させる）絞り制御信号を生成してレンズ１２へ出力し、増加する相対輝度Ｌi毎に、トータルノイズＮT（Ｌi）を測定すると共に、トータルノイズの計算値（ａ＾・ｆ’（Ｌi）・√（Ｌi））を求める。そして、極値判定部２２−２は、トータルノイズＮT（Ｌi）及びトータルノイズの計算値（ａ＾・ｆ’（Ｌi）・√（Ｌi））に基づいて、極値を判定する。
【０１０２】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【０１０３】
これにより、実施例１と同様に、白パターンに対する映像信号のトータルノイズＮT（Ｌi）を、相対輝度Ｌiの関数として測定することができ、トータルノイズＮT（Ｌi）及びその計算値（ａ＾・ｆ’（Ｌi）・√（Ｌi））に基づいて、ダイナミックレンジＤを求めることができる。また、実施例１と同様の効果を奏し、ダイナミックレンジＤを高精度に測定することができる。
【０１０４】
〔実施例３〕
次に、実施例３について説明する。前述の実施例１，２では、トータルノイズＮT（Ｌi）を用いてダイナミックレンジＤを測定するようにしたが、一般に、トータルノイズＮT（Ｌi）には固定パターンノイズ成分が含まれるため、ランダムノイズＮR（Ｌi）のみを用いてダイナミックレンジＤを測定する方が、より高精度な測定が可能となる。実施例３では、２フレームの画像間の差分を用いてランダムノイズＮR1（Ｌi）を測定する。
【０１０５】
具体的には、実施例３は、シーンの相対輝度Ｌiを増加させる輝度制御信号を生成して光源を制御し、白パターンに対する映像信号のランダムノイズＮR1（Ｌi）を相対輝度Ｌiの関数として測定し、相対輝度Ｌiの増加に伴ってランダムノイズＮR1（Ｌi）が減少するポイントの相対輝度Ｌi等に基づいて、ダイナミックレンジＤを求める例である。
【０１０６】
図５は、実施例３のダイナミックレンジ測定装置を含む全体システムを示す図である。このシステムは、白パターン部材１１が装着された光源装置１０、レンズ１２が装着されたカメラ１３及びダイナミックレンジ測定装置３を備えて構成される。
【０１０７】
光源装置１０、白パターン部材１１、レンズ１２及びカメラ１３は、図１の実施例１に示したものと同様であるから、ここでは説明を省略する。
【０１０８】
ダイナミックレンジ測定装置３は、シーンの相対輝度Ｌiを変化させるための輝度制御信号を光源装置１０へ出力し、カメラ１３から、シーンの相対輝度Ｌiを変化させたときの映像信号を入力する。
【０１０９】
ダイナミックレンジ測定装置３は、映像信号に基づいてランダムノイズＮR1（Ｌi）を測定する（ランダムノイズ測定値を求める）。ダイナミックレンジ測定装置３は、映像信号がクリップされるポイントまたは映像信号が飽和するポイント、すなわちシーンの相対輝度Ｌiの増加に伴って漸次変化していたランダムノイズＮR1（Ｌi）が、以前よりも減少するポイントを判定する。例えば、ダイナミックレンジ測定装置３は、シーンの相対輝度Ｌiに対するランダムノイズＮR1（Ｌi）の１次導関数が極小値となるポイント、またはランダムノイズＮR1（Ｌi）の１次導関数が減少し始めるポイントを判定する。そして、ダイナミックレンジ測定装置３は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【０１１０】
図５に示すように、ダイナミックレンジ測定装置３は、ランダムノイズ測定部２０−２、ゲイン計算部２１、極値判定部２２−１及びダイナミックレンジ計算部２３を備えている。
【０１１１】
ランダムノイズ測定部２０−２は、カメラ１３から入力した映像信号に基づいて、シーンの相対輝度ＬiにおけるランダムノイズＮR1（Ｌi）を測定する。ランダムノイズＮR1（Ｌi）の測定処理の詳細については後述する。そして、ランダムノイズ測定部２０−２は、ランダムノイズＮR1（Ｌi）をゲイン計算部２１及び極値判定部２２−１に出力する。ここで、トータルノイズＮT（Ｌi）は、固定パターンノイズ及びランダムノイズＮR1（Ｌi）からなるから、ランダムノイズＮR1（Ｌi）は、トータルノイズＮT（Ｌi）から固定パターンノイズ成分を除いたノイズ成分である。後述するランダムノイズＮR2（Ｌi）についても同様である。
【０１１２】
ゲイン計算部２１は、ランダムノイズ測定部２０−２からランダムノイズＮR1（Ｌi）を入力し、ランダムノイズＮR1（Ｌi）であるノイズの測定値及びノイズの計算値に関するゲインの推定値ａ＾を計算し、ゲインの推定値ａ＾を極値判定部２２−１に出力する。ゲインの推定値ａ＾を計算する処理の詳細については後述する。
【０１１３】
極値判定部２２−１は、ランダムノイズ測定部２０−２からランダムノイズＮR1（Ｌi）を入力すると共に、ゲイン計算部２１からゲインの推定値ａ＾を入力する。そして、極値判定部２２−１は、シーンの相対輝度Ｌiにおけるノイズの計算値（ａ＾・ｆ’（Ｌi）・√（Ｌi））を求める。
【０１１４】
極値判定部２２−１は、シーンの相対輝度Ｌiを増加させる輝度制御信号を生成して光源装置１０へ出力し、ランダムノイズＮR1（Ｌi）及びノイズの計算値（ａ＾・ｆ’（Ｌi）・√（Ｌi））に基づいて、例えばランダムノイズＮR1（Ｌi）の１次導関数の極値を判定する。そして、極値判定部２２−１は、その極値における相対輝度Ｌiをダイナミックレンジ計算部２３に出力する。極値の判定手法等の詳細については後述する。
【０１１５】
ダイナミックレンジ計算部２３は、極値判定部２２−１から極値における相対輝度Ｌiを入力し、相対輝度Ｌi等を用いてダイナミックレンジＤを求める。
【０１１６】
図６は、実施例３のダイナミックレンジ測定装置３の処理例を示すフローチャートである。まず、カメラ１３は、映像信号が公称ピークレベルＶ100%となるときの白パターンを撮影する。このときのシーンの相対輝度をＬ0とする。ランダムノイズ測定部２０−２は、このときの映像信号を入力し、映像信号に基づいて、シーンの相対輝度Ｌ0のときのランダムノイズＮR1（Ｌ0）を測定する（ステップＳ６０１）。
【０１１７】
図７は、図６のステップＳ６０１，Ｓ６０２，Ｓ６０５におけるランダムノイズＮR1（Ｌ）の測定処理例を示すフローチャートである。図５を参照して、ランダムノイズ測定部２０−２は、フレームメモリ３０、減算部３１、ＲＭＳ計算部３２及び乗算部３３を備えている。
【０１１８】
図７において、映像信号における水平画素数をＭ、垂直画素数をＮとし、被測定領域における水平画素の座標ｘをＭ1≦ｘ≦Ｍ2、垂直画素の座標ｙをＮ1≦ｙ≦Ｎ2とする。また、０≦ｘ≦Ｍ−１，０≦ｙ≦Ｎ−１とする。
【０１１９】
ランダムノイズ測定部２０−２は、シーンの相対輝度Ｌのときの連続する２フレームの映像信号について、被測定領域である有効エリアのデータＶ1（ｘ，ｙ），Ｖ2（ｘ，ｙ）を取得する（ステップＳ７０１）。具体的には、ランダムノイズ測定部２０−２のフレームメモリ３０は、映像信号のデータＶ1（ｘ，ｙ），Ｖ2（ｘ，ｙ），・・・を順次保存する。
【０１２０】
ランダムノイズ測定部２０−２は、データＶ1（ｘ，ｙ），Ｖ2（ｘ，ｙ）の差分ΔＶ（ｘ，ｙ）を計算する（ステップＳ７０２）。ここで、連続する２フレームでは固定パターンノイズが変動しないから、差分ΔＶ（ｘ，ｙ）は、ランダムノイズが反映された値となる。
【０１２１】
具体的には、ランダムノイズ測定部２０−２の減算部３１は、フレームメモリ３０から現在のフレームに対して１つ手前のフレームのデータＶ1（ｘ，ｙ）を読み出し、以下の式にて、当該データＶ1（ｘ，ｙ）と現在のフレームのデータＶ2（ｘ，ｙ）との差分ΔＶ（ｘ，ｙ）を計算する。
〔数１４〕
ΔＶ（ｘ，ｙ）＝Ｖ1（ｘ，ｙ）−Ｖ2（ｘ，ｙ）      ・・・（１４）
【０１２２】
ランダムノイズ測定部２０−２は、差分ΔＶ（ｘ，ｙ）のＲＭＳ値を計算し（ステップＳ７０３）、差分ΔＶ（ｘ，ｙ）のＲＭＳ値に１／√２を乗算し、ランダムノイズＮR1（Ｌ）を求める（ステップＳ７０４）。
【０１２３】
具体的には、ＲＭＳ計算部３２は、以下の式にて、差分ΔＶ（ｘ，ｙ）の平均値ΔＶ#を求める。
〔数１５〕
2020048003.tif 000005
【０１２４】
ＲＭＳ計算部３２及び乗算部３３は、以下の式にて、差分ΔＶ（ｘ，ｙ）のＲＭＳ値に１／√２を乗算し、ランダムノイズＮR1（Ｌ）を求める。
〔数１６〕
2020048003.tif 000006
【０１２５】
図６に戻って、カメラ１３は、シーンの相対輝度Ｌiのときの白パターンを撮影する。ランダムノイズ測定部２０−２は、このときの映像信号を入力し、映像信号に基づいて、図７に示した測定処理にて、シーンの相対輝度ＬiのときのランダムノイズＮR1（Ｌi）を測定する（ステップＳ６０２）。
【０１２６】
ゲイン計算部２１は、ランダムノイズ測定部２０−２により測定されたランダムノイズＮR1（Ｌi）を用いて、以下の式にて、ゲインの推定値ａ＾を計算する（ステップＳ６０３）。
〔数１７〕
ａ＾＝ＮR1（Ｌi）／｛ｆ’（Ｌi）・√（Ｌi）｝      ・・・（１７）
【０１２７】
ゲインの推定値ａ＾は、ランダムノイズＮR1（Ｌi）と、非線形処理の１次導関数ｆ’（Ｌi）に、シーンの相対輝度Ｌiの平方根√（Ｌi）を乗算した乗算結果との間の比である。
【０１２８】
尚、ゲインの推定値ａ＾を計算するときのシーンの相対輝度Ｌiは、相対輝度Ｌ0であってもよい。また、ランダムノイズ測定部２０−２は、複数のシーンの相対輝度Ｌiのそれぞれについて、ランダムノイズＮR1（Ｌi）を測定し、ゲイン計算部２１は、複数のランダムノイズＮR1（Ｌi）を用いて、曲線回帰によりゲインの推定値ａ＾を計算するようにしてもよい。
【０１２９】
極値判定部２２−１は、図２のステップＳ２０４と同様に、カメラ１３がシーンの相対輝度Ｌiのときの白パターンを撮影するように、すなわち光源装置１０がシーンの相対輝度Ｌiのときの白パターンを発光するように、シーンの相対輝度Ｌiに対応する輝度制御信号を生成する。そして、極値判定部２２−１は、輝度制御信号を光源装置１０へ出力する（ステップＳ６０４）。
【０１３０】
ランダムノイズ測定部２０−２は、このときの映像信号を入力し、ランダムノイズＮR1（Ｌi）を測定する（ステップＳ６０５）。ランダムノイズＮR1（Ｌi）は、シーンの相対輝度Ｌiにおけるランダムノイズの測定値である。
【０１３１】
極値判定部２２−１は、図２のステップＳ２０６と同様に、前記式（４）にて、シーンの相対輝度Ｌiにおけるランダムノイズの計算値（ａ＾・ｆ’（Ｌi）・√（Ｌi））を求める（ステップＳ６０６）。
【０１３２】
極値判定部２２−１は、図２のステップＳ２０７と同様に、シーンの相対輝度Ｌiにおけるランダムノイズの測定値であるランダムノイズＮR1（Ｌi）の１次導関数について、極値を判定する（ステップＳ６０７）。
【０１３３】
極値判定部２２−１は、図２のステップＳ２０８と同様に、相対輝度Ｌiのときの前記１次導関数の値が極値でないと判定した場合（ステップＳ６０８：Ｎ）、ステップＳ６０４へ移行する。そして、極値判定部２２−１は、ステップＳ６０４において、シーンの相対輝度Ｌiを変化させて新たなシーンの相対輝度Ｌiを設定し、新たなシーンの相対輝度Ｌiに対応する輝度制御信号を生成して光源装置１０へ出力する。
【０１３４】
一方、極値判定部２２−１は、図２のステップＳ２０８と同様に、相対輝度Ｌiのときの前記１次導関数の値が極値であると判定した場合（ステップＳ６０８：Ｙ）、ダイナミックレンジ計算部２３は、図２のステップＳ２０９と同様に、相対輝度Ｌi等を用いてダイナミックレンジＤを計算する（ステップＳ６０９）。
【０１３５】
例えば、極値判定部２２−１は、ステップＳ６０４〜Ｓ６０８において、以下の式を満たすｉの値を求めるまで、シーンの相対輝度Ｌiを増加させる輝度制御信号を生成して光源装置１０へ出力し、増加する相対輝度Ｌi毎に、ランダムノイズＮR1（Ｌi）を測定すると共に、ランダムノイズの計算値（ａ＾・ｆ’（Ｌi）・√（Ｌi））を求める。
〔数１８〕
ｉ＝argmax｜ＮR1（Ｌi）−ａ＾・ｆ’（Ｌi）・√（Ｌi）｜      ・・・（１８）
【０１３６】
すなわち、極値判定部２２−１は、前記式（１８）にて、シーンの相対輝度ＬiにおけるランダムノイズＮR1（Ｌi）から、シーンの相対輝度Ｌiにおけるランダムノイズの計算値（ａ＾・ｆ’（Ｌi）・√（Ｌi））を減算し、減算結果の絶対値を求め、当該絶対値が最大となるｉの値を求める。
【０１３７】
尚、極値判定部２２−１は、前記式（１８）に代えて、以下の式を満たすｉの値を求めるようにしてもよい。
〔数１９〕
ｉ＝argmin｛ＮR1（Ｌi）−ａ＾・ｆ’（Ｌi）・√（Ｌi）｝      ・・・（１９）
【０１３８】
すなわち、極値判定部２２−１は、前記式（１９）にて、シーンの相対輝度ＬiにおけるランダムノイズＮR1（Ｌi）から、シーンの相対輝度Ｌiにおけるランダムノイズの計算値（ａ＾・ｆ’（Ｌi）・√（Ｌi））を減算し、減算結果が最小となるｉの値を求める。
【０１３９】
以上のように、実施例３のダイナミックレンジ測定装置３によれば、ランダムノイズ測定部２０−２は、シーンの相対輝度Ｌiのときの映像信号を入力し、映像信号に基づいて、ランダムノイズＮR1（Ｌi）を測定する。極値判定部２２−１は、シーンの相対輝度Ｌiにおけるランダムノイズの計算値（ａ＾・ｆ’（Ｌi）・√（Ｌi））を求める。これにより、シーンの相対輝度Ｌiにおけるランダムノイズの測定値及び計算値が得られる。
【０１４０】
極値判定部２２−１は、シーンの相対輝度Ｌiを増加させる輝度制御信号を生成して光源装置１０へ出力し、増加する相対輝度Ｌi毎に、ランダムノイズＮR1（Ｌi）を測定すると共に、ランダムノイズの計算値（ａ＾・ｆ’（Ｌi）・√（Ｌi））を求める。そして、極値判定部２２−１は、ランダムノイズＮR1（Ｌi）及びランダムノイズの計算値（ａ＾・ｆ’（Ｌi）・√（Ｌi））に基づいて、極値を判定する。
【０１４１】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【０１４２】
これにより、白パターンに対する映像信号のランダムノイズＮR1（Ｌi）を、相対輝度Ｌiの関数として測定することができ、ランダムノイズＮR1（Ｌi）及びその計算値（ａ＾・ｆ’（Ｌi）・√（Ｌi））に基づいて、ダイナミックレンジＤを求めることができる。
【０１４３】
非線形処理の設定が変わってもランダムノイズＮR1（Ｌi）は変化しないから、非線形処理の設定が変わってもダイナミックレンジＤが変わることはない。また、ランダムノイズＮR1（Ｌi）には固定パターンノイズが含まれていないから、トータルノイズＮT（Ｌi）を用いるよりも、精度の高いダイナミックレンジＤを求めることができる。つまり、ダイナミックレンジＤを、ランダムノイズＮR1（Ｌi）を用いて定量的に測定するようにしたから、そのダイナミックレンジＤを一層高精度に測定することができる。
【０１４４】
また、ランダムノイズＮR1（Ｌi）は、連続する２フレームの映像信号から測定されるから、２フレームを超えるフレーム数の映像信号から測定される後述する実施例５，６のランダムノイズＮR2（Ｌi）を用いる場合に比べ、処理が簡易となる。
【０１４５】
〔実施例４〕
次に、実施例４について説明する。実施例４では、前述の実施例３と同様に、２フレームの画像間の差分を用いてランダムノイズＮR1（Ｌi）を測定する。また、実施例４では、実施例３にて用いた輝度制御信号の代わりに絞り制御信号を用いる。
【０１４６】
具体的には、実施例４は、シーンの相対輝度Ｌiを増加させるために、レンズ１２のＦ値を減少させる絞り制御信号を生成してレンズ１２の絞りを制御し、白パターンに対する映像信号のランダムノイズＮR1（Ｌi）を相対輝度Ｌiの関数として測定し、相対輝度Ｌiの増加に伴ってランダムノイズＮR1（Ｌi）が減少するポイントの相対輝度Ｌi等に基づいて、ダイナミックレンジＤを求める例である。
【０１４７】
図８は、実施例４のダイナミックレンジ測定装置を含む全体システムを示す図である。このシステムは、白パターン部材１１が装着された光源装置１０、レンズ１２が装着されたカメラ１３及びダイナミックレンジ測定装置４を備えて構成される。
【０１４８】
光源装置１０、白パターン部材１１、レンズ１２及びカメラ１３は、図４の実施例２に示したものと同様であるから、ここでは説明を省略する。
【０１４９】
ダイナミックレンジ測定装置４は、シーンの相対輝度Ｌiを変化させるための絞り制御信号をレンズ１２へ出力し、カメラ１３から、シーンの相対輝度Ｌiを変化させたときの映像信号を入力する。
【０１５０】
ダイナミックレンジ測定装置４は、図５のダイナミックレンジ測定装置３と同様に、映像信号に基づいてランダムノイズＮR1（Ｌi）を測定する。ダイナミックレンジ測定装置４は、映像信号がクリップされるポイントまたは映像信号が飽和するポイント、すなわちシーンの相対輝度Ｌiの増加に伴って漸次変化していたランダムノイズＮR1（Ｌi）が、以前よりも減少するポイントを判定する。例えば、ダイナミックレンジ測定装置４は、シーンの相対輝度Ｌiに対するランダムノイズＮR1（Ｌi）の１次導関数が極小値となるポイント、またはランダムノイズＮR1（Ｌi）の１次導関数が減少し始めるポイントを判定する。そして、ダイナミックレンジ測定装置４は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【０１５１】
図８に示すように、ダイナミックレンジ測定装置４は、ランダムノイズ測定部２０−２、ゲイン計算部２１、極値判定部２２−２及びダイナミックレンジ計算部２３を備えている。
【０１５２】
図５に示した実施例３のダイナミックレンジ測定装置３と図８に示す実施例４のダイナミックレンジ測定装置４とを比較すると、両ダイナミックレンジ測定装置３，４は、ランダムノイズ測定部２０−２、ゲイン計算部２１及びダイナミックレンジ計算部２３を備えている点で共通する。一方、ダイナミックレンジ測定装置４は、ダイナミックレンジ測定装置３に備えた極値判定部２２−１の代わりに極値判定部２２−２を備えている点で、ダイナミックレンジ測定装置３と相違する。
【０１５３】
ランダムノイズ測定部２０−２、ゲイン計算部２１及びダイナミックレンジ計算部２３は、図５の実施例３に示したものと同様であるから、ここでは説明を省略する。また、極値判定部２２−２は、図４の実施例２に示したものと同様であり、トータルノイズＮT（Ｌi）の代わりにランダムノイズＮR1（Ｌi）を用いるから、ここでは説明を省略する。
【０１５４】
以上のように、実施例４のダイナミックレンジ測定装置４によれば、ランダムノイズ測定部２０−２は、シーンの相対輝度Ｌiのときの映像信号を入力し、映像信号に基づいて、２フレームの画像間の差分を用いてランダムノイズＮR1（Ｌi）を測定する。極値判定部２２−２は、シーンの相対輝度Ｌiにおけるランダムノイズの計算値（ａ＾・ｆ’（Ｌi）・√（Ｌi））を求める。これにより、シーンの相対輝度Ｌiにおけるランダムノイズの測定値及び計算値が得られる。
【０１５５】
極値判定部２２−２は、シーンの相対輝度Ｌiを増加させる（Ｆ値を減少させる）絞り制御信号を生成してレンズ１２へ出力し、増加する相対輝度Ｌi毎に、ランダムノイズＮR1（Ｌi）を測定すると共に、ランダムノイズの計算値（ａ＾・ｆ’（Ｌi）・√（Ｌi））を求める。そして、極値判定部２２−２は、ランダムノイズＮR1（Ｌi）及びランダムノイズの計算値（ａ＾・ｆ’（Ｌi）・√（Ｌi））に基づいて、極値を判定する。
【０１５６】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【０１５７】
これにより、実施例３と同様に、白パターンに対する映像信号のランダムノイズＮR1（Ｌi）を、相対輝度Ｌiの関数として測定することができ、ランダムノイズＮR1（Ｌi）及びその計算値（ａ＾・ｆ’（Ｌi）・√（Ｌi））に基づいて、ダイナミックレンジＤを求めることができる。また、実施例３と同様の効果を奏し、ダイナミックレンジＤを一層高精度に測定することができる。
【０１５８】
〔実施例５〕
次に、実施例５について説明する。前述の実施例３では、２フレームの画像間の差分を用いてランダムノイズＮR1（Ｌi）を測定するようにしたが、実施例５では、実施例３のランダムノイズＮR1（Ｌi）とは異なり、複数フレームの加算平均画像と当該フレームの画像との間の差分を用いてランダムノイズＮR2（Ｌi）を測定する。
【０１５９】
具体的には、実施例５は、シーンの相対輝度Ｌiを増加させる輝度制御信号を生成して光源を制御し、白パターンに対する映像信号のランダムノイズＮR2（Ｌi）を相対輝度Ｌiの関数として測定し、相対輝度Ｌiの増加に伴ってランダムノイズＮR2（Ｌi）が減少するポイントの相対輝度Ｌi等に基づいて、ダイナミックレンジＤを求める例である。
【０１６０】
図９は、実施例５のダイナミックレンジ測定装置を含む全体システムを示す図である。このシステムは、白パターン部材１１が装着された光源装置１０、レンズ１２が装着されたカメラ１３及びダイナミックレンジ測定装置５を備えて構成される。
【０１６１】
光源装置１０、白パターン部材１１、レンズ１２及びカメラ１３は、図１の実施例１に示したものと同様であるから、ここでは説明を省略する。
【０１６２】
ダイナミックレンジ測定装置５は、シーンの相対輝度Ｌiを変化させるための輝度制御信号を光源装置１０へ出力し、カメラ１３から、シーンの相対輝度Ｌiを変化させたときの映像信号を入力する。
【０１６３】
ダイナミックレンジ測定装置５は、映像信号に基づいてランダムノイズＮR2（Ｌi）を測定する（ランダムノイズ測定値を求める）。ダイナミックレンジ測定装置５は、映像信号がクリップされるポイントまたは映像信号が飽和するポイント、すなわちシーンの相対輝度Ｌiの増加に伴って漸次変化していたランダムノイズＮR2（Ｌi）が、以前よりも減少するポイントを判定する。例えば、ダイナミックレンジ測定装置５は、シーンの相対輝度Ｌiに対するランダムノイズＮR2（Ｌi）の１次導関数が極小値となるポイント、またはランダムノイズＮR2（Ｌi）の１次導関数が減少し始めるポイントを判定する。そして、ダイナミックレンジ測定装置５は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【０１６４】
図９に示すように、ダイナミックレンジ測定装置５は、ランダムノイズ測定部２０−３、ゲイン計算部２１、極値判定部２２−１及びダイナミックレンジ計算部２３を備えている。
【０１６５】
ランダムノイズ測定部２０−３は、カメラ１３から入力した映像信号に基づいて、シーンの相対輝度ＬiにおけるランダムノイズＮR2（Ｌi）を測定する。ランダムノイズＮR2（Ｌi）の測定処理の詳細については後述する。そして、ランダムノイズ測定部２０−３は、ランダムノイズＮR2（Ｌi）をゲイン計算部２１及び極値判定部２２−１に出力する。
【０１６６】
ゲイン計算部２１、極値判定部２２−１及びダイナミックレンジ計算部２３は、図５の実施例３に示したものと同様であるから、ここでは説明を省略する。ゲイン計算部２１及び極値判定部２２−１は、ランダムノイズ測定部２０−３からランダムノイズＮR2（Ｌi）を入力し、図５の実施例３に示したランダムノイズＮR1（Ｌi）の代わりに、ランダムノイズＮR2（Ｌi）を用いる。
【０１６７】
ダイナミックレンジ測定装置５は、図６に示したフローチャートにおいて、ステップＳ６０１〜Ｓ６０９と同様の処理を行う。この場合、ランダムノイズＮR1（Ｌi）の代わりに、ランダムノイズＮR2（Ｌi）を用いる。
【０１６８】
図１０は、図６のステップＳ６０１，Ｓ６０２，Ｓ６０５におけるランダムノイズＮR1（Ｌ）の代わりに用いるランダムノイズＮR2（Ｌ）の測定処理例を示すフローチャートである。図９を参照して、ランダムノイズ測定部２０−３は、加算平均部３４、減算部３５、ＲＭＳ計算部３６及び乗算部３７を備えている。
【０１６９】
図１０において、映像信号における水平画素数をＭ、垂直画素数をＮとし、被測定領域における水平画素の座標ｘをＭ1≦ｘ≦Ｍ2、垂直画素の座標ｙをＮ1≦ｙ≦Ｎ2とする。また、０≦ｘ≦Ｍ−１，０≦ｙ≦Ｎ−１，０≦ｉ≦Ｔ−１とする。Ｔは、フレームの数を示し、２以上の整数であり、ｉはフレーム番号を示す。また、以下に示すパラメータｊは０以上の整数であり、フレームの番号を示す。
【０１７０】
ランダムノイズ測定部２０−３は、シーンの相対輝度ＬのときのＴフレームの映像信号について、被測定領域である有効エリアのデータＶi（ｘ，ｙ）を取得する（ステップＳ１００１）。Ｔフレームは、予め設定された複数の番号のフレームを対象とする。
【０１７１】
ランダムノイズ測定部２０−３は、取得した有効エリアのデータＶi（ｘ，ｙ）の加算平均Ｖ＃（ｘ，ｙ）を計算する（ステップＳ１００２）。
【０１７２】
具体的には、ランダムノイズ測定部２０−３の加算平均部３４は、Ｔフレームの映像信号について、有効エリアのデータＶi（ｘ，ｙ）を取得し、以下の式にて、加算平均Ｖ＃（ｘ，ｙ）を計算する。
〔数２０〕
2020048003.tif 000007
【０１７３】
ランダムノイズ測定部２０−３は、ｊ番目のフレームのデータＶj（ｘ，ｙ）を取得し（ステップＳ１００３）、ステップＳ１００２にて計算した加算平均Ｖ＃（ｘ，ｙ）とデータＶj（ｘ，ｙ）との間の差分ΔＶ（ｘ，ｙ）を計算する（ステップＳ１００４）。ここで、加算平均Ｖ＃（ｘ，ｙ）とデータＶj（ｘ，ｙ）との間の差分を計算することで、固定パターンノイズが除去され、差分ΔＶ（ｘ，ｙ）は、ランダムノイズが反映された値となる。
【０１７４】
具体的には、減算部３５は、ｊ番目のフレームのデータＶj（ｘ，ｙ）を取得し、以下の式にて、データＶj（ｘ，ｙ）から加算平均Ｖ＃（ｘ，ｙ）を減算し、差分ΔＶ（ｘ，ｙ）を求める。
〔数２１〕
ΔＶ（ｘ，ｙ）＝Ｖj（ｘ，ｙ）−Ｖ＃（ｘ，ｙ）      ・・・（２１）
【０１７５】
ランダムノイズ測定部２０−３は、差分ΔＶ（ｘ，ｙ）のＲＭＳ値を計算する（ステップＳ１００５）。そして、ランダムノイズ測定部２０−３は、パラメータｊが０≦ｊ≦Ｔ−１を満たす場合、差分ΔＶ（ｘ，ｙ）のＲＭＳ値に√（Ｔ／Ｔ−１）を乗算し、パラメータｊが０≦ｊ≦Ｔ−１を満たさない場合、差分ΔＶ（ｘ，ｙ）のＲＭＳ値に√（Ｔ／Ｔ＋１）を乗算し、ランダムノイズＮR2（Ｌ）を求める（ステップＳ１００６）。
【０１７６】
ここで、パラメータｊが０≦ｊ≦Ｔ−１を満たす場合とは、ｊ番目のフレームが、ステップＳ１００２における加算平均Ｖ＃（ｘ，ｙ）の計算対象であるＴフレームに含まれる場合を示す。また、パラメータｊが０≦ｊ≦Ｔ−１を満たさない場合とは、ｊ番目のフレームが、前述のＴフレームに含まれない場合を示す。
【０１７７】
また、ランダムノイズＮR2（Ｌ）を求める際に、差分ΔＶ（ｘ，ｙ）のＲＭＳ値に√（Ｔ／Ｔ−１）を乗算するか、または√（Ｔ／Ｔ＋１）を乗算するか、すなわち０≦ｊ≦Ｔ−１を満たすｊ番目のフレームのデータＶj（ｘ，ｙ）を用いるか、または０≦ｊ≦Ｔ−１を満たさないｊ番目のフレームのデータＶj（ｘ，ｙ）を用いるかは、ユーザにより予め設定される。
【０１７８】
具体的には、ＲＭＳ計算部３６は、ステップＳ１００６にてランダムノイズＮR2（Ｌ）を求める際に、以下の式にて、差分ΔＶ（ｘ，ｙ）の平均値ΔＶ#を求める。
〔数２２〕
2020048003.tif 000008
【０１７９】
ＲＭＳ計算部３６は、差分ΔＶ（ｘ，ｙ）のＲＭＳ値を計算し、乗算部３７は、パラメータｊが０≦ｊ≦Ｔ−１を満たす場合、差分ΔＶ（ｘ，ｙ）のＲＭＳ値に√（Ｔ／Ｔ−１）を乗算し、ランダムノイズＮR2（Ｌ）を求める。この場合のＲＭＳ計算部３６及び乗算部３７の演算は、以下の式にて行われる。
〔数２３〕
2020048003.tif 000009
【０１８０】
また、乗算部３７は、パラメータｊが０≦ｊ≦Ｔ−１を満たさない場合、差分ΔＶ（ｘ，ｙ）のＲＭＳ値に√（Ｔ／Ｔ＋１）を乗算し、ランダムノイズＮR2（Ｌ）を求める。この場合のＲＭＳ計算部３６及び乗算部３７の演算は、以下の式にて行われる。
〔数２４〕
2020048003.tif 000010
【０１８１】
以上のように、実施例５のダイナミックレンジ測定装置５によれば、ランダムノイズ測定部２０−３は、シーンの相対輝度Ｌiのときの映像信号を入力し、映像信号に基づいて、複数フレームの加算平均画像と当該フレームの画像との間の差分を用いてランダムノイズＮR2（Ｌi）を測定する。極値判定部２２−１は、シーンの相対輝度Ｌiにおけるランダムノイズの計算値（ａ＾・ｆ’（Ｌi）・√（Ｌi））を求める。これにより、シーンの相対輝度Ｌiにおけるランダムノイズの測定値及び計算値が得られる。
【０１８２】
極値判定部２２−１は、シーンの相対輝度Ｌiを増加させる輝度制御信号を生成して光源装置１０へ出力し、増加する相対輝度Ｌi毎に、ランダムノイズＮR2（Ｌi）を測定すると共に、ランダムノイズの計算値（ａ＾・ｆ’（Ｌi）・√（Ｌi））を求める。そして、極値判定部２２−１は、ランダムノイズＮR2（Ｌi）及びランダムノイズの計算値（ａ＾・ｆ’（Ｌi）・√（Ｌi））に基づいて、極値を判定する。
【０１８３】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【０１８４】
これにより、実施例３と同様の効果を奏し、ダイナミックレンジＤを、ランダムノイズＮR2（Ｌi）を用いて定量的に測定するようにしたから、トータルノイズＮT（Ｌi）を用いるよりも、ダイナミックレンジＤを一層高精度に測定することができる。
【０１８５】
〔実施例６〕
次に、実施例６について説明する。実施例６では、前述の実施例５と同様に、複数フレームの加算平均画像と当該フレームの画像との間の差分を用いてランダムノイズＮR2（Ｌi）を測定する。また、実施例６では、実施例５にて用いた輝度制御信号の代わりに絞り制御信号を用いる。
【０１８６】
具体的には、実施例６は、シーンの相対輝度Ｌiを増加させるために、レンズ１２のＦ値を減少させる絞り制御信号を生成してレンズ１２の絞りを制御し、白パターンに対する映像信号のランダムノイズを相対輝度Ｌiの関数として測定し、相対輝度Ｌiの増加に伴ってランダムノイズＮR2（Ｌi）が減少するポイントの相対輝度Ｌi等に基づいて、ダイナミックレンジＤを求める例である。
【０１８７】
図１１は、実施例６のダイナミックレンジ測定装置を含む全体システムを示す図である。このシステムは、白パターン部材１１が装着された光源装置１０、レンズ１２が装着されたカメラ１３及びダイナミックレンジ測定装置６を備えて構成される。
【０１８８】
光源装置１０、白パターン部材１１、レンズ１２及びカメラ１３は、図４の実施例２に示したものと同様であるから、ここでは説明を省略する。
【０１８９】
ダイナミックレンジ測定装置６は、シーンの相対輝度Ｌiを変化させるための絞り制御信号をレンズ１２へ出力し、カメラ１３から、シーンの相対輝度Ｌiを変化させたときの映像信号を入力する。
【０１９０】
ダイナミックレンジ測定装置６は、図９のダイナミックレンジ測定装置５と同様に、映像信号に基づいてランダムノイズＮR2（Ｌi）を測定する。ダイナミックレンジ測定装置６は、映像信号がクリップされるポイントまたは映像信号が飽和するポイント、すなわちシーンの相対輝度Ｌiの増加に伴って漸次変化していたランダムノイズＮR2（Ｌi）が、以前よりも減少するポイントを判定する。例えば、ダイナミックレンジ測定装置６は、シーンの相対輝度Ｌiに対するランダムノイズＮR2（Ｌi）の１次導関数が極小値となるポイント、またはランダムノイズＮR2（Ｌi）の１次導関数が減少し始めるポイントを判定する。そして、ダイナミックレンジ測定装置６は、そのポイント（例えば極小または減少開始のポイント）における相対輝度Ｌi、及びカメラ１３により撮影された白パターンの映像信号が公称ピークレベルＶ100%となるときの相対輝度Ｌ0を用いて、ダイナミックレンジＤを求める。
【０１９１】
図１１に示すように、ダイナミックレンジ測定装置６は、ランダムノイズ測定部２０−３、ゲイン計算部２１、極値判定部２２−２及びダイナミックレンジ計算部２３を備えている。
【０１９２】
図９に示した実施例５のダイナミックレンジ測定装置５と図１１に示す実施例６のダイナミックレンジ測定装置６とを比較すると、両ダイナミックレンジ測定装置５，６は、ランダムノイズ測定部２０−３、ゲイン計算部２１及びダイナミックレンジ計算部２３を備えている点で共通する。一方、ダイナミックレンジ測定装置６は、ダイナミックレンジ測定装置５に備えた極値判定部２２−１の代わりに極値判定部２２−２を備えている点で、ダイナミックレンジ測定装置５と相違する。
【０１９３】
ランダムノイズ測定部２０−３、ゲイン計算部２１及びダイナミックレンジ計算部２３は、図９の実施例５に示したものと同様であるから、ここでは説明を省略する。また、極値判定部２２−２は、図４の実施例２に示したものと同様であり、トータルノイズＮT（Ｌi）の代わりにランダムノイズＮR2（Ｌi）を用いるから、ここでは説明を省略する。
【０１９４】
以上のように、実施例６のダイナミックレンジ測定装置６によれば、ランダムノイズ測定部２０−３は、シーンの相対輝度Ｌiのときの映像信号を入力し、映像信号に基づいて、複数フレームの加算平均画像と当該フレームの画像との間の差分を用いてランダムノイズＮR2（Ｌi）を測定する。極値判定部２２−２は、シーンの相対輝度Ｌiにおけるランダムノイズの計算値（ａ＾・ｆ’（Ｌi）・√（Ｌi））を求める。これにより、シーンの相対輝度Ｌiにおけるランダムノイズの測定値及び計算値が得られる。
【０１９５】
極値判定部２２−２は、シーンの相対輝度Ｌiを増加させる（Ｆ値を減少させる）絞り制御信号を生成してレンズ１２へ出力し、増加する相対輝度Ｌi毎に、ランダムノイズＮR2（Ｌi）を測定すると共に、ランダムノイズの計算値（ａ＾・ｆ’（Ｌi）・√（Ｌi））を求める。そして、極値判定部２２−２は、ランダムノイズＮR2（Ｌi）及びランダムノイズの計算値（ａ＾・ｆ’（Ｌi）・√（Ｌi））に基づいて、極値を判定する。
【０１９６】
ダイナミックレンジ計算部２３は、極値における相対輝度Ｌi、及びカメラ１３により撮影された白パターンの映像信号が公称ピークレベルＶ100%となるときの相対輝度Ｌ0を用いて、ダイナミックレンジＤを求める。
【０１９７】
これにより、実施例４と同様の効果を奏し、ダイナミックレンジＤを、ランダムノイズＮR2（Ｌi）を用いて定量的に測定するようにしたから、トータルノイズＮT（Ｌi）を用いるよりも、ダイナミックレンジＤを一層高精度に測定することができる。
【０１９８】
以上、実施形態を挙げて本発明を説明したが、本発明は前記実施形態に限定されるものではなく、その技術思想を逸脱しない範囲で種々変形可能である。前記実施例１〜６のダイナミックレンジ測定装置１〜６は、白パターンに対するカメラ１３のノイズを、相対輝度Ｌiの関数として測定するようにした。これに対し、ダイナミックレンジ測定装置１〜６は、白パターンに対するカメラ１３のノイズを、白パターン（または光源装置１０）の照度または輝度の関数、またはレンズ１２のＦ値の関数として測定するようにしてもよい。
【０１９９】
また、前記実施例１，３，５のダイナミックレンジ測定装置１，３，５は、シーンの相対輝度Ｌiを増加させるために、輝度制御信号を出力するようにした。また、前記実施例２，４，６のダイナミックレンジ測定装置２，４，６は、シーンの相対輝度Ｌiを増加させるために、絞り制御信号を出力するようにした。本発明は、輝度制御信号または絞り制御信号に限定するものではなく、シーンの相対輝度Ｌiを増加させるための信号であれば何でもよい。つまり、ダイナミックレンジ測定装置１〜６は、光源装置１０の輝度若しくは照度、またはレンズ１２のＦ値等を変更することで、シーンの相対輝度Ｌiを増加させるための制御信号を出力すればよい。
【０２００】
また、前記実施例１〜６のダイナミックレンジ測定装置１〜６は、ダイナミックレンジＤを求める際に、シーンの相対輝度Ｌiに対するトータルノイズＮT（Ｌi）等の１次導関数が極小値となるポイント、またはトータルノイズＮT（Ｌi）等の１次導関数が減少し始めるポイントを判定するようにした。ダイナミックレンジＤを求める際に必要なポイントを判定するためのこれらの手法は例示であり、他の手法を用いるようにしてもよい。
【０２０１】
例えば、ダイナミックレンジ測定装置１〜６は、トータルノイズＮT（Ｌi）等が大きく減少し始めるポイントを判定するようにしてもよい。要するに、本発明は、ダイナミックレンジＤを求める際に、トータルノイズＮT（Ｌi）等のノイズの測定値が変化するポイントを判定すればよい。
【０２０２】
尚、本発明の実施例１〜６によるダイナミックレンジ測定装置１〜６のハードウェア構成としては、通常のコンピュータを使用することができる。ダイナミックレンジ測定装置１〜６は、ＣＰＵ、ＲＡＭ等の揮発性の記憶媒体、ＲＯＭ等の不揮発性の記憶媒体、及びインターフェース等を備えたコンピュータによって構成される。
【０２０３】
ダイナミックレンジ測定装置１に備えたトータルノイズ測定部２０−１、ゲイン計算部２１、極値判定部２２−１及びダイナミックレンジ計算部２３の各機能は、これらの機能を記述したプログラムをＣＰＵに実行させることによりそれぞれ実現される。また、ダイナミックレンジ測定装置２に備えたトータルノイズ測定部２０−１、ゲイン計算部２１、極値判定部２２−２及びダイナミックレンジ計算部２３の各機能は、これらの機能を記述したプログラムをＣＰＵに実行させることによりそれぞれ実現される。
【０２０４】
また、ダイナミックレンジ測定装置３に備えたランダムノイズ測定部２０−２、ゲイン計算部２１、極値判定部２２−１及びダイナミックレンジ計算部２３の各機能は、これらの機能を記述したプログラムをＣＰＵに実行させることによりそれぞれ実現される。また、ダイナミックレンジ測定装置４に備えたランダムノイズ測定部２０−２、ゲイン計算部２１、極値判定部２２−２及びダイナミックレンジ計算部２３の各機能は、これらの機能を記述したプログラムをＣＰＵに実行させることによりそれぞれ実現される。
【０２０５】
また、ダイナミックレンジ測定装置５に備えたランダムノイズ測定部２０−３、ゲイン計算部２１、極値判定部２２−１及びダイナミックレンジ計算部２３の各機能は、これらの機能を記述したプログラムをＣＰＵに実行させることによりそれぞれ実現される。また、ダイナミックレンジ測定装置６に備えたランダムノイズ測定部２０−３、ゲイン計算部２１、極値判定部２２−２及びダイナミックレンジ計算部２３の各機能は、これらの機能を記述したプログラムをＣＰＵに実行させることによりそれぞれ実現される。
【０２０６】
これらのプログラムは、前記記憶媒体に格納されており、ＣＰＵに読み出されて実行される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【符号の説明】
【０２０７】
１，２，３，４，５，６  ダイナミックレンジ測定装置
１０  光源装置
１１  白パターン部材
１２  レンズ
１３  カメラ
２０−１  トータルノイズ測定部
２０−２，２０−３  ランダムノイズ測定部
２１  ゲイン計算部
２２−１，２２−２  極値判定部
２３  ダイナミックレンジ計算部
３０  フレームメモリ
３１，３５  減算部
３２，３６  ＲＭＳ（Root Mean Square：二乗平均平方根）計算部
３３，３７  乗算部
３４  加算平均部
【図１】
2020048003.tif 000011
【図２】
2020048003.tif 000012
【図３】
2020048003.tif 000013
【図４】
2020048003.tif 000014
【図５】
2020048003.tif 000015
【図６】
2020048003.tif 000016
【図７】
2020048003.tif 000017
【図８】
2020048003.tif 000018
【図９】
2020048003.tif 000019
【図１０】
2020048003.tif 000020
【図１１】
2020048003.tif 000021
【図１２】
2020048003.tif 000022
【図１３】
2020048003.tif 000023
【図１４】
2020048003.tif 000024
【図１５】
2020048003.tif 000025
【図１６】
2020048003.tif 000026